(57)【特許請求の範囲】
【請求項１】
ノイズを検出するノイズ検出手段と、前向きの信号処理を行う前向き処理手段と、後向きの信号処理を行う後向き処理手段と、前記ノイズ検出手段からの信号、前記前向き処理手段の信号、前記後向き処理手段からの信号を入力し、前記ノイズ検出手段からの信号に基づき、前記前向き処理手段からの信号と前記後ろ向き処理手段からの信号を切り替えてオーディオ信号として出力するデータ切替処理手段と、を備え、前記データ切替処理手段は、前記ノイズ検出手段からの信号がノイズを検出しないことを示すときには前記前向き処理手段の信号を選択し、前記ノイズ検出手段がノイズを検出したことを示す信号を出力した時点から前記後向き処理手段で信号処理した信号を選択して出力し、ノイズの影響がなくなる時間を過ぎると、前記後ろ向き処理手段からの信号を前記前向き処理からの信号に切り替えて出力することを特徴とするラジオ受信機におけるノイズ除去装置。
【請求項２】
前記信号処理としてＬＰＦ処理を行うことを特徴とする請求項１に記載のラジオ受信機におけるノイズ除去装置。
【発明の詳細な説明】
【０００１】
【発明の属する技術分野】
この発明は、ラジオ受信機、たとえば、カーラジオにおけるＦＭチューナにおいて、コンポジット信号からノイズを除去する装置に関する。
【０００２】
【従来の技術】
内燃機関の点火火花、ラジオ放送の受信を感知できる程度に妨害する広い周波数領域内の高周波パルス信号を送出する。この高周波パルスはコンポジット信号にノイズとして重畳される。ＦＭチューナなどのラジオ受信機においては、このノイズを検出して、ノイズを除去する必要がある。
【０００３】
特開平７−１５４２７７号公報（Ｈ０４Ｂ  １／１０）には、デジタルラジオ受信機のためのパルスノイズをコンポジット信号から除去する回路が提案されている。この従来の技術では、高周波フィルタ処理され、２乗された信号と、その時間的な平均値を比較することにより、パルスノイズを検出している。このパルスノイズを検出すると、パルスノイズを検出している間にコンポジット信号を先行するパイロットトーン周期中に生じる標本値によって置き換えられるように制御し、ノイズ除去を行っている。
【０００４】
【発明が解決しようとする課題】
上記したように、通常、パルスノイズが発生を検出した時に、低域フィルタ（ＬＰＦ）と遅延回路とを用いた前向きの処理を行うことにより、パルスノイズを除去しているが、この前向き処理を行うと、図６の実線で示すような波形となる。パルスノイズが発生すると、パルスノイズは除去されるが、そのまま前向き処理を行うと図中Ｂで囲むように、パルスノイズの影響が生じることになる。
【０００５】
この発明は、上述した従来の問題点に鑑みなされたものにして、パルスノイズなどのノイズが影響する時間を短くし、良好なオーディオ信号の生成が行えるノイズ除去装置を提供することを目的とする。
【０００６】
【課題を解決するための手段】
この発明は、ノイズを検出するノイズ検出手段と、前向きの信号処理を行う前向き処理手段と、後向きの信号処理を行う後向き処理手段と、前記ノイズ検出手段からの信号、前記前向き処理手段の信号、前記後向き処理手段からの信号を入力し、前記ノイズ検出手段からの信号に基づき、前記前向き処理手段からの信号と前記後ろ向き処理手段からの信号を切り替えてオーディオ信号として出力するデータ切替処理手段と、を備え、前記データ切替処理手段は、前記ノイズ検出手段からの信号がノイズを検出しないことを示すときには前記前向き処理手段の信号を選択し、前記ノイズ検出手段がノイズを検出したことを示す信号を出力した時点から前記後向き処理手段で信号処理した信号を選択して出力し、ノイズの影響がなくなる時間を過ぎると、前記後ろ向き処理手段からの信号を前記前向き処理からの信号に切り替えて出力することを特徴とする。
【０００７】
また、前記信号処理としてＬＰＦ処理を行うように構成することができる。
【０００８】
上記のように構成することで、パルスノイズなどのノイズの影響する時間がほとんどない処理をそれぞれ選択して出力できるので、効果的にその影響を低減させることができる。
【０００９】
【発明の実施の形態】
以下、この発明の実施の形態につき図面を参照して説明する。
図１において、入力端子１に図示されていない復調器によってコンポジット信号が供給される。このコンポジット信号は２２８ｋＨｚの標本化周波数を有している。この標本化周波数は１９ｋＨｚのパイロットトーン周波数の倍数になっている。
【００１０】
入力端子に与えられたコンポジット信号は、パルスノイズなどのノイズを検出するノイズ検出回路１、前向き処理回路２及び後向き処理回路３にそれぞれ与えられる。ノイズ検出回路１、前向き処理回路２、後向き回路３からの信号は、データ切替処理回路４に与えられる。データ切替処理回路４は、ノイズ検出回路１からの信号に基づき、通常の前向きのＬＰＦ処理である前向き処理回路２の信号と後向きのＬＰＦ処理である後向き処理回路３からの信号を切り替えてオーディオ信号として出力する。
【００１１】
図２は、ノイズ検出回路１の具体例を示すブロック図であり、高域フィルタ（ＨＰＳ）１１、２乗回路１２、時間平均回路１３及び比較回路１４とを備える。
【００１２】
高域フィルタ１１はパルスノイズなどのノイズに対してコンポジット信号の重要でない成分を抑圧し、２乗回路１２へその信号を与える。２乗回路１３は、２乗評価を行うと共に整流を行い、高域フィルタ２でろ波されたコンポジット信号の絶対値形成を行う。
【００１３】
２乗回路１２の出力信号は、時間平均回路１３及び比較回路１４に与えられる。
【００１４】
時間平均回路１３は、２乗回路１２からの信号の時間的平均値を算出し、その値を閾値として比較回路１４に与える。
【００１５】
比較回路１４は時間平均回路１３からの遮断周波数を決定するための信号と２乗回路１２からの信号を比較して、ノイズを検出する。すなわち、２乗回路１２からの信号が時間平均回路１４からの信号より大きい場合には、ノイズが発生したと判断し、データ切替回路４等に信号を与える。
【００１６】
なお、上記した実施の形態においては、高域フィルタ１１の後で２乗演算を行っているが、２乗演算の代わりに絶対値演算処理を行ってもよい。
【００１７】
図３は、前向き処理回路２の具体例を示すブロック図であり、信号処理としての低域フィルタ（ＬＰＦ）２１及び遅延回路２２とを備える。コンポジット信号が低域フィルタ（ＬＰＦ）２１に与えられる。この低域フィルタ２１でろ波された信号が遅延回路２２に与えられる。遅延回路２２は、ノイズ検出回路１からの信号を得て、パルス信号を検出していない場合には、ろ波されたコンポジット信号をデータ切替回路４に与える。また、ノイズ検出回路１がノイズを検出すると、遅延回路２２でパイロットトーンの周期だけ遅延されたコンポジット信号がデータ切替回路４に与えられる。ノイズを検出している間にコンポジット信号を先行するパイロットトーン周期中に生じる標本値によって置き換えられるように制御し、ノイズ除去を行っている。すなわち、この前向き処理回路２は、ノイズが発生している間ノイズより先行するデータを予測して出力するものである。
【００１８】
尚、上記図３に示す前向き処理回路２は、信号処理としてＬＰＦを用いているが、前向き処理としてはこれに限られず、データの補間処理、ＢＰＦを用いた信号処理などにより、データを予測して出力するようにしてもよい。
【００１９】
図４は、後向き処理回路３の具体例を示すブロック図である。コンポジット信号がバッファメモリ３１に格納され、ノイズ検出回路１からの信号を得て、バッファメモリ３１に所定量格納された信号を時間軸反転処理回路３２でデータの時間軸を反転させ、信号処理としての低域フィルタ（ＬＰＦ）３３に与える。そして、低域フィルタ３３でろ波されたコンポジット信号を時間軸反転処理回路３４で反転して、データ切替回路４に与える。
【００２０】
この後向き処理回路３は、ノイズ検出回路１がノイズを検出すると、コンポジット信号を後向きに時間軸を遡って、標本値によって置き換えられるように制御し、ノイズ除去を行っている。
【００２１】
図５は、後向き処理回路３の他の具体例を示すブロック図である。コンポジット信号がバッファメモリ３１に格納され、ノイズ検出回路１からの信号を得て、バッファメモリ３１に所定量格納された信号を回路３５にて係数反転して信号処理として低域フィルタ（ＬＰＦ）でろ波する。そして、係数反転されたコンポジット信号を時間軸反転処理回路３４で反転して、データ切替回路４に与える。
【００２２】
この後向き処理回路３もノイズ検出回路１がパルスを検出すると、コンポジット信号を後向きに時間軸を遡って、標本値によって置き換えられるように制御し、ノイズ除去を行っている。
【００２３】
尚、上記図４及び図５に示す後向き処理回路３は、信号処理としてＬＰＦを用いているが、後向き処理としてはこれに限られず、データの補間処理、ＢＰＦを用いた信号処理などにより、コンポジット信号を後向きに時間軸を遡って、標本値によって置き換えられるようにして出力するようにしてもよい。
【００２４】
データ切替回路４は、ノイズ検出回路１、前向き処理回路２、後向き回路３からの信号を入力し、ノイズ検出回路１からの信号に基づき、通常の前向きの信号処理と後向きの信号処理を組み合わせて出力し、信号処理のパルス発生区間の後方部の影響を無くすものである。すなわち、前述した図６に示すように、前向き処理を行うと、図６の実線に示すように、ノイズ検出後にノイズによる影響が生じる。また、後向き処理を行った場合を図中破線で示す。ノイズの影響が図６中のＡで囲んだ領域に示すように、ノイズの発生前にその影響が生じる。そこで、この発明では、まず、ノイズを検出するまでは、前向き処理回路２により信号処理したコンポジット信号を出力するように、データ切替回路４は前向き処理からの信号を選択し、出力する。
【００２５】
ノイズ検出回路１でパルスを検出すると、前向き処理では、上述したように、パルスノイズの影響が発生するので、ノイズ検出回路１がノイズを検出した時点から後向き処理回路３で信号処理したコンポジット信号を出力するように、データ切替回路４は後向き処理からの信号を選択し、出力する。
【００２６】
後向き処理回路３により所定の時間経過し、すなわち、ノイズの影響がなくなる時間を過ぎると、データ切替回路４は前向き処理からの信号を選択し、出力する。
【００２７】
このように構成することで、図６から明らかなように、ノイズの影響を効果的に無くすことができる。
【００２８】
また、この発明においては、ブロックで示された回路を個々の回路を用いて実現してもよいが、適当なプログラミングによりブロック回路に示された処理を行うデジタル信号プロセッサを使用してこの発明を実現してもよい。
【００２９】
【発明の効果】
以上説明したように、この発明によれば、パルスノイズなどのノイズの影響する時間を短くでき、効果的にその影響を低減させることができる。
【図面の簡単な説明】
【図１】この発明にかかる実施の形態を示すブロック図である。
【図２】この発明に用いられるパルスノイズ検出回路の具体例を示すブロック図である。
【図３】この発明に用いられる前向き処理回路の具体例を示すブロック図である。
【図４】この発明に用いられる後向き処理回路の具体例を示すブロック図である。
【図５】この発明に用いられる他の後向き処理回路の具体例を示すブロック図である。
【図６】前向き処理と後向き処理を行った場合の波形図である。
【符号の説明】
１  パルスノイズ検出回路
２  前向き処理回路
３  後向き処理回路
４  データ切替処理回路
【図１】
0003670902.tif 000002
【図２】
0003670902.tif 000003
【図３】
0003670902.tif 000004
【図４】
0003670902.tif 000005
【図５】
0003670902.tif 000006
【図６】
0003670902.tif 000007